(57)【要約】　　　（修正有）【課題】ドラフトチャンバー等より発生する有毒ガスをドラフトの上部に設置してガスの洗浄を有効に働かせると共に、タンク本体の材料にポリプロピレンを使用して環境を整えるためのものである。【解決手段】ガス洗浄タンク１は、下部にドラフトの排気ダクトに接続するドラフト連結筒２を設け、上部には排気ファンに連結する排気筒３を設けたドラフト用上置型ガス洗浄タンクである。また、ガス洗浄タンクの構成材料を硬質合成樹脂のポリプロピレンのオレフィン系樹脂を以って形成する。また、該ガス洗浄タンクには、内部にドラフト連結筒よりの侵入通路５、洗浄室６、その洗浄室の内部に複数の給水枝管と、給水枝管に複数以上の散水弁１２を配設する。充填材室７には、内部にポリプロピレン製のリングパッキン等を収納すると共に、下方に吸気室８を設け、該吸気室にはガスが流通するフィルター９及び排気室１０とその上部に排気筒を形成していることを特徴としている。【選択図】図１
0003097207.tif 000002
【実用新案登録請求の範囲】
【請求項１】
ガス洗浄タンク（１）は、下部の一方にドラフトの排気ダクトに接続するドラフト連結筒（２）を設けると共に、上部の一方に排気ファンへの排気筒（３）を装設したドラフト用上置型ガス洗浄タンクにおいて、前記ガス洗浄タンク（１）の構成材料として硬質合成樹脂のポリプロピレンのオレフィン系樹脂を以って形成し、該ドラフト連結筒（２）には、上部の内部に隔壁（４）を設けて侵入通路（５）を縦設し、該侵入通路（５）に隣接して上部に洗浄室（６）を設け、該洗浄室（６）には、給水管（１３）に連結する複数の給水枝管（１１）（１１）を設けると共に、該給水枝管（１１）（１１）に所定間隔を設けて複数以上の散水弁（１２）（１２）…を配設し、該洗浄室（６）には、下部にパッキンの充填材室（７）を設け、該充填材室（７）には、内部にポリプロピレン製のパッキンを収納し、該充填材室（７）には、下部に吸気室（８）を設けると共に、該吸気室（８）に連通して各種のフィルター（９）及び排気室（１０）とを設け、該排気室（１０）の上部に該排気筒（３）を装設したことを特徴とするドラフト用上置型ガス洗浄タンク。
【考案の詳細な説明】
【０００１】
【産業上の利用分野】
本考案は、ドラフトチャンバー等より発生する有毒ガスをドラフトの上部に設置してガスを綺麗にして衛生環境を整えると共に、ダイオキシンが発生しないポリプロピレンを使用して形成したドラフト用上置型ガス洗浄タンクに関するものである。
【０００２】
【従来の技術】
従来この種のドラフト用の上置型に使用されるガス洗浄タンクは、ガスの洗浄を確実にして誘導し、小型で安全性の高い形状のものは散見されず、また、タンク本体を塩化ビニール等のダイオキシンが発生するものや、リサイクル化が不可能なために、環境等を著しく悪化する材料が主体で構成されている現状である。そして、近年の環境問題等の高まりから、リサイクル化や軽量化するために他の硬質合成樹脂に取り替えることが検討されている現状である。
【０００３】
【考案が解決しようとする課題】
本考案は、従来の技術の有する課題を解決するものであり、その主たる目的とする所は、従来のものより軽量、小型化して、悪臭、ガス等の洗浄能力の優れた簡単な構造とすると共に、洗浄タンク本体を耐薬品性、耐蝕性、耐熱性に優れ、且つ表面硬度も高く、軽量で光沢の美しい、ポリプロピレンの硬質合成樹脂を使用した構成によって環境性にも優れたドラフト用上置型ガス洗浄タンクを提供しようとするものである。
【０００４】
【課題を解決するための手段】
本考案のドラフト用上置型ガス洗浄タンクは、下部にドラフト等よりの排気ダクトに連接するドラフト連結筒を設け、ガス洗浄タンクの上部一方に排気ファンに送る排気筒を装設してある。該ガス洗浄タンクの構成材料を硬質合成樹脂のポリプロピレンのオレフィン系樹脂を以って形成してある。該ドラフト連結筒の上部には、内部に隔壁を設けて縦方向の侵入通路を設ける。該侵入通路の上方に洗浄室を設けると共に、その内部の給水管に連続した複数の給水枝管と、複数以上の散水弁を配設する。該洗浄室には、下部にパッキンを収納する充填材室と吸気室を設け、該吸気室よりフィルターと排気室とを設け、該排気筒から排気ファンに連結するものである。
【０００５】
【作用】
ガス洗浄タンク（１）は、ドラフトチャンバー等よりの有毒な排気ガス等は、ドラフト連結筒（２）より侵入し、隔壁（４）により縦方向の侵入通路（５）を通って洗浄室（６）に侵入し、該洗浄室（６）内の複数の給水枝管（１１）（１１）と散水弁（１２）（１２）とより洗浄された後、リングパッキン等の充填材室（７）を通過して吸気室（８）、フィルター（９）を経て排気室（１０）を通り排気筒（３）より排気ファンへ放出するものである。
【０００６】
【実施例】
次に、本考案の実施例を図面について説明すると、図１に示すガス洗浄タンク（１）には、下部の一方端部にドラフトよりの排気ダクトに接続するドラフト連結筒（２）を形成する。且つ該ガス洗浄タンク（１）には、上部の一方端部に排気ファンへ連通する排気筒（３）を形成してある。前記ガス洗浄タンク（１）は、その構成材料として硬質合成樹脂のポリプロピレンのオレフィン系樹脂を使用し、全体を略方形状に形成してある。
該ドラフト連結筒（２）には、上部の内部に上方が開口した隔壁（４）を立設して侵入通路（５）を形成する。該侵入通路（５）の上部開口部と連通して洗浄室（６）を形成してある。該洗浄室（６）には、外部の給水管（１３）に連結される図２に示す如く横方向に複数の給水枝管（１１）（１１）を設ける。該給水枝管（１１）（１１）には、所定間隔を設けて複数以上の散水弁（１２）（１２）…を所定の位置に配設してある。
該洗浄室（６）には、下方に充填材室（７）を設けると共に、該充填材室（７）の内部にポリプロピレン製等よりなる例えばリングパッキン等を積層収納したものである。
【０００７】
次に、該充填材室（７）には、下部に吸気室（８）に連通する通路を設ける。該吸気室（８）には、上部に隔壁（１５）を立設して各種のフィルター（９）を収納すると共に、フィルター（９）の上部に排気室（１０）を形成してある。該排気室（１０）は、上部に排気ガスを排気ファンへ送る該排気筒（３）に連接状態に装設してある。
【０００８】
次に、図４に示すものは、該ガス洗浄タンク（１）の側面に設けた各ソケットを示し、上方から上部スクラバーからの戻し管（１６）、給水口の水栓ソケット（１７）、（１８）は、オーバーフロー口の水栓ソケットを示し、（１９）は、ポンプへの水栓ソケットを示し、符号（２０）は、排水管接続口の水栓ソケットである。符号（２１）は、該ガス洗浄タンク（１）を設置取着する複数の固定部を示したものである。
【０００９】
次に、本考案に使用する硬質合成樹脂としては、ポリプロピレン、ポリエチレン等のオレフィン系樹脂、スチレン系樹脂等である。
【００１０】
【考案の効果】
以上説明したように本考案のドラフト用上置型ガス洗浄タンクは、ドラフトの上部に簡単に載置するだけで使用できる便利な効果と、全体を塩化ビニール製のようにリサイクルの不可能な構成材料と異なるポリプロピレンを使用したので、比重が最も小さく、且つ軽量化され、耐薬品性、耐蝕性、耐熱性にも著しく優れた効果がある。また、リサイクルが可能であるためにダイオキシンが発生しないため環境にも優れた効果もある。そして、ガス洗浄タンクは、下部に設けたドラフト連結筒よりの有毒ガスは侵入通路を経て確実に洗浄室に侵入し、洗浄室に設けた複数の給水枝管と、給水枝管に設けた複数の散水弁によって有毒ガスは順調に流動して効率よく確実に洗浄できる効果がある。また、充填材室の内部に収納したポリプロピレン製のパッキンにより、耐薬品、耐蝕及び耐熱に優れ、且つシャワー効果を著しく向上する効果がある。さらに、吸気室の上部にフィルターを設けて排気室に送気されるので、悪臭、ガス等は綺麗に効率よく取り除きされる効果がある。
【図面の簡単な説明】
【図１】本考案のガス洗浄タンクの一部を開示した縦断正面図である。
【図２】同じく本考案の一部開示した平面図である。
【図３】本考案のガス洗浄タンクの一部開示した側面図である。
【図４】同じく本考案のタンクの側面に水栓ソケットを設けた側面図である。
【符号の説明】
１　　　　　　ガス洗浄タンク
２　　　　　　ドラフト連結筒
３　　　　　　排気筒
４、１５　　　隔壁
５　　　　　　侵入通路
６　　　　　　洗浄室
７　　　　　　充填材室
８　　　　　　吸気室
９　　　　　　フィルター
１０　　　　　　排気室
１１　　　　　　給水枝管
１２　　　　　　散水弁
１３　　　　　　給水管
１４　　　　　　蓋体
１６　　　　　　戻し管
１７、１８　　　水栓ソケット
１９、２０　　　水栓ソケット
【図１】
0003097207.tif 000003
【図２】
0003097207.tif 000004
【図３】
0003097207.tif 000005
【図４】
0003097207.tif 000006